(57)【要約】【課題】洗浄液が皮脂汚れを含む場合でも起泡力を維持でき、かつ、すすぎ時には泡が素早く切れ、すすぎが速やかに完了する衣料用粉末洗剤組成物を提供する。【解決手段】（Ａ）（Ａ−１）直鎖アルキルベンゼンスルホン酸のアルカリ金属塩又はアルカノールアミン塩及び（Ａ−２）アルキル硫酸のアルカリ金属塩又はアルカノールアミン塩を５質量％以上、４０質量％以下、（Ｂ）水溶性アルカリ無機塩を５質量％以上、５５質量％以下、（Ｃ）（Ｄ）を除く、水溶性中性無機塩を２０質量％以上、７０質量％以下、（Ｄ）水溶性マグネシウム塩を硫酸マグネシウムの無水物換算で０．５質量％以上、１２質量％以下、並びに、（Ｅ）炭素数１２以上、１８以下の脂肪酸又はその塩を０．１質量％以上、７質量％以下、含有し、（Ａ−１）と（Ａ−２）の質量比である（Ａ−１）／（Ａ−２）が０．６以上、５以下であり、（Ｅ）中の（Ｅ−１）炭素数１２の脂肪酸又はその塩の割合が、５０質量％以上である、衣料用粉末洗剤組成物。【選択図】なし【特許請求の範囲】
【請求項１】
下記（Ａ）成分を５質量％以上、４０質量％以下、下記（Ｂ）成分を５質量％以上、５５質量％以下、下記（Ｃ）成分を２０質量％以上、７０質量％以下、下記（Ｄ）成分を硫酸マグネシウムの無水物換算で０．５質量％以上、１２質量％以下、及び下記（Ｅ）成分を０．１質量％以上、７質量％以下含有し、
（Ａ−１）と（Ａ−２）の質量比である（Ａ−１）／（Ａ−２）が、０．６以上、５以下であり、
（Ｅ）成分中の（Ｅ−１）炭素数１２の脂肪酸又はその塩の割合が、５０質量％以上である、
衣料用粉末洗剤組成物。
（Ａ）成分：（Ａ−１）直鎖アルキルベンゼンスルホン酸のアルカリ金属塩又はアルカノールアミン塩及び（Ａ−２）アルキル硫酸のアルカリ金属塩又はアルカノールアミン塩
（Ｂ）成分：水溶性アルカリ無機塩
（Ｃ）成分：（Ｄ）成分を除く、水溶性中性無機塩
（Ｄ）成分：水溶性マグネシウム塩
（Ｅ）成分：炭素数１２以上、１８以下の脂肪酸又はその塩
【請求項２】
（Ｄ）成分が、硫酸マグネシウムの無水物、硫酸マグネシウムの水和物及び塩化マグネシウムの水和物から選ばれる１種以上の化合物である、請求項１記載の衣料用粉末洗剤組成物。
【請求項３】
下記（Ａ）成分を５質量％以上、４０質量％以下、下記（Ｂ）成分を５質量％以上、５５質量％以下、下記（Ｃ）成分を２０質量％以上、７０質量％以下、下記（Ｄ）成分を硫酸マグネシウムの無水物換算で０．５質量％以上、１２質量％以下、及び下記（Ｅ）成分を０．１質量％以上、７質量％以下含有し、
（Ａ−１）と（Ａ−２）の質量比である（Ａ−１）／（Ａ−２）が、０．６以上、５以下であり、
（Ｅ）成分中の（Ｅ−１）炭素数１２の脂肪酸又はその塩の割合が、５０質量％以上である、
衣料用粉末洗剤組成物。
（Ａ）成分：（Ａ−１）直鎖アルキルベンゼンスルホン酸のアルカリ金属塩又はアルカノールアミン塩及び（Ａ−２）アルキル硫酸のアルカリ金属塩又はアルカノールアミン塩
（Ｂ）成分：水溶性アルカリ無機塩
（Ｃ）成分：（Ｄ）成分を除く、水溶性中性無機塩
（Ｄ）成分：硫酸マグネシウムの無水物及び硫酸マグネシウムの水和物から選ばれる１種以上の化合物
（Ｅ）成分：炭素数１２以上、１８以下の脂肪酸又はその塩
【請求項４】
（Ｅ）成分中の（Ｅ−１）炭素数１２の脂肪酸又はその塩の割合が、８０質量％以上である、請求項１〜３の何れか１項記載の衣料用粉末洗剤組成物。
【請求項５】
（Ｂ）成分が、炭酸塩及び非晶質ケイ酸塩から選ばれる１種以上の水溶性アルカリ無機塩である、請求項１〜４の何れか１項記載の衣料用粉末洗剤成物。
【請求項６】
（Ｂ）成分として炭酸塩と非晶質ケイ酸塩とを含有し、炭酸塩と非晶質ケイ酸塩の質量比である炭酸塩／非晶質ケイ酸塩が０．１以上、２０以下である、請求項５記載の衣料用粉末洗剤成物。
【請求項７】
（Ａ−２）成分と（Ｂ）成分との質量比である（Ａ−２）成分／（Ｂ）成分が、０．１以上、１０以下である、請求項１〜６の何れか１項記載の衣料用粉末洗剤組成物。
【請求項８】
（Ｃ）成分が、硫酸塩及び金属塩化物から選ばれる１種以上の水溶性中性無機塩である、請求項１〜７の何れか１項記載の衣料用粉末洗剤成物。
【請求項９】
（Ａ−２）成分と（Ｅ）成分との質量比である（Ａ−２）成分／（Ｅ）成分が、０．５以上、３０以下である、請求項１〜８の何れか１項記載の衣料用粉末洗剤成物。
【請求項１０】
（Ｅ）成分と（Ｄ）成分との質量比である（Ｅ）成分／（Ｄ）成分が、０．１以上、５以下である、請求項１〜９の何れか１項記載の衣料用粉末洗剤成物。
【請求項１１】
更に、（Ｆ）アルキル基の炭素数が１０以上、２０以下であり、アルキレンオキシ基の平均付加モル数が０．５以上、４以下であるポリオキシアルキレンアルキルエーテル０．０１質量％以上、５質量％以下を含有する、請求項１〜１０の何れか１項記載の衣料用粉末洗剤成物。
【請求項１２】
更に、（Ｈ）（Ｈ−１）アルミノケイ酸塩、結晶性ケイ酸塩及びリン酸塩から選ばれる１種以上の金属イオン捕捉ビルダー０質量％以上、９質量％以下、並びに（Ｈ−２）カルボン酸系高分子化合物から選ばれる金属イオン捕捉ビルダー０．１質量％以上、４質量％以下を含有し、（Ｈ−１）と（Ｈ−２）の合計含有量が０．１質量％以上、９質量％以下である、請求項１〜１１の何れか１項記載の衣料用粉末洗剤成物。
【請求項１３】
ＪＩＳ  Ｋ  ３３６２：２００８記載の２０℃で測定する０．１質量％水溶液のｐＨが８以上、１２以下である、請求項１〜１２の何れか１項記載の衣料用粉末洗剤成物。
【請求項１４】
請求項１〜１３の何れかに記載の衣料用粉末洗剤組成物と水とを混合して調製した洗浄液を用いて被洗浄物を手洗いする、手洗い洗濯方法。
【請求項１５】
請求項１〜１３の何れかに記載の衣料用粉末洗剤組成物と水とを混合して調製した洗浄液に被洗浄物を浸漬した後、又は前記洗浄液を被洗浄物に塗布した後に、被洗浄物を手洗いする、手洗い洗濯方法。
【請求項１６】
衣料用粉末洗剤組成物と混合する水のドイツ硬度が５°ｄＨ以上である、請求項１４又は１５記載の手洗い洗濯方法。
【発明の詳細な説明】
【技術分野】
【０００１】
本発明は、衣料用粉末洗剤組成物、及び手洗い洗濯方法に関する。
【背景技術】
【０００２】
洗濯に用いられる従来の衣料用粉末洗剤組成物として、主成分である界面活性剤と、アルカリ剤や多価金属イオン捕捉ビルダーなどのその他洗浄補助成分とを含有するものが知られている。
【０００３】
特許文献１には、直鎖アルキルベンゼンスルホン酸塩、アルキル硫酸塩を含む界面活性剤、炭酸塩及び非晶質ケイ酸塩から選ばれる化合物、硫酸塩及び金属塩化物から選ばれる化合物、金属イオン捕捉ビルダーを特定条件で含有する、衣料用粉末洗剤組成物が記載されている。
【０００４】
特許文献２には、ポリオキシアルキレンアルキルエーテル硫酸エステル塩及びアルキルベンゼンスルホン酸塩、脂肪酸塩、アルカノールアミン、炭酸塩、ノニオン性界面活性剤、及び水を含有する衣料用液体洗剤組成物が記載されている。
【０００５】
特許文献３には、特定のポリオキシアルキレンアルキルエーテル硫酸エステル塩、脂肪酸塩、含マグネシウム無機化合物を含有する手洗い用食器洗浄剤組成物が記載されている。
【０００６】
中華圏・アセアン圏のようなアジア地域においては洗濯機の普及が進んでいるが、手洗い洗濯も依然として存在している。手洗い洗濯では洗剤濃度が０．２〜１．５％と比較的高い濃度で使用されており、多くの使用者が洗剤を水に溶かして衣料を一定時間浸漬した後、洗濯を行っている。手洗い洗濯では、多くの作業者は、洗浄中に適度な泡立ちがあることを好む。そのため、手洗い洗濯では、衣料を一定時間漬け置きした後であっても起泡力を維持することが望ましい。更に、すすぎ時には泡が素早く消えてすすぎを速やかに完了できることが望ましい。
【先行技術文献】
【特許文献】
【０００７】
【特許文献１】特開２０１３−０８２８８９号公報
【特許文献２】国際公開第２０１３／０３８７５０号
【特許文献３】特開２０１２−１４０５７３号公報
【発明の概要】
【発明が解決しようとする課題】
【０００８】
本発明者は、身体由来の皮脂汚れが付着した衣料を洗浄液に漬け置きすると、衣料から洗浄液に溶けだした皮脂汚れにより、洗浄液が泡立ちににくくなる課題を見出した。
本発明は、皮脂汚れが付着した衣料を洗浄液に一定時間漬け置きする場合などのように、洗浄液が皮脂汚れを含む場合でも起泡力を維持でき、かつ、すすぎ時には泡が素早く消えてすすぎを速やかに完了できる衣料用粉末洗剤組成物を提供する。
【課題を解決するための手段】
【０００９】
本発明は、
下記（Ａ）成分を５質量％以上、４０質量％以下、下記（Ｂ）成分を５質量％以上、５５質量％以下、下記（Ｃ）成分を２０質量％以上、７０質量％以下、下記（Ｄ）成分を硫酸マグネシウムの無水物換算で０．５質量％以上、１２質量％以下、及び下記（Ｅ）成分を０．１質量％以上、７質量％以下含有し、
（Ａ−１）と（Ａ−２）の質量比である（Ａ−１）／（Ａ−２）が、０．６以上、５以下であり、
（Ｅ）成分中の（Ｅ−１）炭素数１２の脂肪酸又はその塩の割合が、５０質量％以上である、
衣料用粉末洗剤組成物に関する。
（Ａ）成分：（Ａ−１）直鎖アルキルベンゼンスルホン酸のアルカリ金属塩又はアルカノールアミン塩及び（Ａ−２）アルキル硫酸のアルカリ金属塩又はアルカノールアミン塩
（Ｂ）成分：水溶性アルカリ無機塩
（Ｃ）成分：（Ｄ）成分を除く、水溶性中性無機塩
（Ｄ）成分：水溶性マグネシウム塩
（Ｅ）成分：炭素数１２以上、１８以下の脂肪酸又はその塩
【００１０】
また、本発明は、
下記（Ａ）成分を５質量％以上、４０質量％以下、下記（Ｂ）成分を５質量％以上、５５質量％以下、下記（Ｃ）成分を２０質量％以上、７０質量％以下、下記（Ｄ）成分を硫酸マグネシウムの無水物換算で０．５質量％以上、１２質量％以下、及び下記（Ｅ）成分を０．１質量％以上、７質量％以下含有し、
（Ａ−１）と（Ａ−２）の質量比である（Ａ−１）／（Ａ−２）が、０．６以上、５以下であり、
（Ｅ）成分中の（Ｅ−１）炭素数１２の脂肪酸又はその塩の割合が、５０質量％以上である、
衣料用粉末洗剤組成物に関する。
（Ａ）成分：（Ａ−１）直鎖アルキルベンゼンスルホン酸のアルカリ金属塩又はアルカノールアミン塩及び（Ａ−２）アルキル硫酸のアルカリ金属塩又はアルカノールアミン塩
（Ｂ）成分：水溶性アルカリ無機塩
（Ｃ）成分：（Ｄ）成分を除く、水溶性中性無機塩
（Ｄ）成分：硫酸マグネシウムの無水物及び硫酸マグネシウムの水和物から選ばれる１種以上の化合物
（Ｅ）成分：炭素数１２以上、１８以下の脂肪酸又はその塩
【００１１】
また、本発明は、上記本発明の洗剤組成物と水とを混合して調製した洗浄液を用いて衣料のような被洗浄物を手洗いする、手洗い洗濯方法に関する。
【００１２】
また、本発明は、上記本発明の洗剤組成物と水とを混合して調製した洗浄液に被洗浄物を浸漬した後、又は前記洗浄液を被洗浄物に塗布した後に、被洗浄物を手洗いする、手洗い洗濯方法に関する。
【発明の効果】
【００１３】
本発明によれば、皮脂汚れが付着した衣料を洗浄液に一定時間漬け置きする場合などのように、洗浄液が皮脂汚れを含む場合でも起泡力を維持でき、かつ、すすぎ時には泡が素早く消えてすすぎを速やかに完了できる衣料用粉末洗剤組成物が提供される。また、この洗剤組成物を用いた、泡立ち性と泡消え性に優れる手洗い洗濯方法が提供される。
【発明を実施するための形態】
【００１４】
〔（Ａ）成分〕
本発明の（Ａ）成分は、（Ａ−１）の直鎖アルキルベンゼンスルホン酸のアルカリ金属塩又はアルカノールアミン塩及び（Ａ−２）のアルキル硫酸のアルカリ金属塩又はアルカノールアミン塩である。（Ａ）成分は陰イオン界面活性剤である。以下、（Ａ−１）の直鎖アルキルベンゼンスルホン酸のアルカリ金属塩又はアルカノールアミン塩を（Ａ−１）成分といい、（Ａ−２）のアルキル硫酸のアルカリ金属塩又はアルカノールアミン塩を（Ａ−２）成分という。
【００１５】
本発明の（Ａ−１）成分は、直鎖アルキルベンゼンスルホン酸のアルカリ金属塩又はアルカノールアミン塩である。（Ａ−１）成分は、洗浄性能、泡立ち性の点から炭素数１０以上、更に１２以上、そして、１６以下、更に１５以下、更に１４以下の直鎖アルキル基を有するものが好ましい。（Ａ−１）成分を構成する塩としてはナトリウム、カリウムなどのアルカリ金属塩及びモノエタノールアミンなどのアルカノールアミン塩などを挙げることができる。アルカノールアミンは、総炭素数２以上、６以下のアルカノールアミンが好ましい。炭素数２以上、６以下のアルカノールアミンとしては、モノアルカノールアミン、トリエタノールアミンが挙げられる。洗浄性の点から、好ましくは、モノエタノールアミンである。
【００１６】
（Ａ−１）成分としては、炭素数１０以上、更に１２以上、そして１６以下、更に１５以下、更に１４以下の直鎖アルキル基を有する直鎖アルキルベンゼンスルホン酸のアルカリ金属塩又は総炭素数２以上、６以下のアルカノールアミン塩が挙げられる。洗浄性能、泡立ち性、溶解性の点から、（Ａ−１）成分は、好ましくはアルカリ金属塩であり、より好ましくはナトリウム塩である。
【００１７】
（Ａ−１）成分は、直鎖アルキルベンゼンスルホン酸のアルカリ金属塩又はアルカノールアミン塩から選ばれる１種又は２種以上を組み合わせて用いることができる。
【００１８】
本発明の（Ａ−２）成分は、アルキル硫酸のアルカリ金属塩又はアルカノールアミン塩である。好ましい（Ａ−２）成分は、炭素数が１２以上、１８以下のアルキル基を有するアルキル硫酸のアルカリ金属塩又はアルカノールアミン塩である。
【００１９】
洗浄力、漬け置き後の起泡力の点から、（Ａ−２）成分は、好ましくは炭素数１２のアルキル基を有するアルキル硫酸のアルカリ金属塩又はアルカノールアミン塩及び炭素数１４のアルキル基を有するアルキル硫酸のアルカリ金属塩又はアルカノールアミン塩から選ばれる化合物である。
（Ａ−２）成分中の炭素数１２のアルキル基を有するアルキル硫酸のアルカリ金属塩又はアルカノールアミン塩及び炭素数１４のアルキル基を有するアルキル硫酸のアルカリ金属塩又はアルカノールアミン塩の合計の割合は、好ましくは７０質量％以上、より好ましくは８０質量％以上、より好ましくは８５質量％以上である。
より好ましい（Ａ−２）成分は、炭素数１２のアルキル基を有するアルキル硫酸のアルカリ金属塩又はアルカノールアミン塩〔以下、（Ａ−２−１）成分ともいう〕である。以下、炭素数１２のアルキル基を有するアルキル硫酸のアルカリ金属塩又はアルカノールアミン塩を、（Ａ−２−１）成分ともいう。
【００２０】
（Ａ−２）成分を構成する塩は、ナトリウム、カリウムなどのアルカリ金属塩及びモノエタノールアミンなどのアルカノールアミン塩が挙げられる。
【００２１】
アルキル硫酸の塩となるアルカノールアミンとしては、総炭素数２以上、６以下のアルカノールアミンが挙げられる。炭素数２以上、６以下のアルカノールアミンとしては、モノアルカノールアミン、トリエタノールアミンが挙げられる。洗浄性の点から、好ましくは、モノエタノールアミンである。
（Ａ−２）成分は、洗浄性能、泡立ち性、溶解性の点から、好ましくはアルカリ金属塩、より好ましくはナトリウム塩である。
【００２２】
（Ａ−２）成分のアルキル基は直鎖のアルキル基が好ましい。（Ａ−２）成分は、直鎖率が７５モル％以上、更に８０モル％以上、そして、１００モル％以下であることがより好ましい。ここで、直鎖率は、（Ａ−２）成分の化合物の総モル数に対する、直鎖アルキル基を有するアルキル硫酸のアルカリ金属塩又はアルカノールアミン塩の総モル数の割合である。前記直鎖率は、衣料から脱離した皮脂汚れが存在する洗浄液に漬け置いた後も起泡力に優れ、かつすすぎ時の泡消え性にも優れる点で好ましい。
【００２３】
（Ａ−２）成分は、アルキル硫酸のアルカリ金属塩又はアルカノールアミン塩から選ばれる１種又は２種以上を組み合わせて用いることができる。
【００２４】
本発明の洗剤組成物は、（Ａ）成分を５質量％以上、４０質量％以下含有する。（Ａ）成分の含有量は、組成物中、好ましくは８質量％以上、より好ましくは１０質量％以上、より好ましくは１２質量％以上である。また、（Ａ）成分の含有量は、組成物中、好ましくは３５質量％以下、より好ましくは３０質量％以下、より好ましくは２５質量％以下、より好ましくは２０質量％以下である。尚、本発明における（Ａ）成分の質量は、対塩をナトリウム塩に換算した質量を用いる。
【００２５】
泡立ち性、すすぎ性の点から、（Ａ−１）成分と（Ａ−２）成分の質量比である（Ａ−１）成分／（Ａ−２）成分が、０．６以上、好ましくは０．８以上、より好ましくは１以上である。そして、洗浄性能、消泡性の点から、当該質量比は５以下、好ましくは４以下、より好ましくは３以下、より好ましくは２．７以下、より好ましくは２．５以下、より好ましくは２．３以下、より好ましくは２以下、より好ましくは１．５以下である。
本発明の洗剤組成物をドイツ硬度５°ＤＨ未満の低硬度の水で使用する場合は、泡立ち性の点から、（Ａ−１）成分と（Ａ−２）成分の質量比である（Ａ−１）成分／（Ａ−２）成分は、０．６以上、好ましくは０．８以上、より好ましくは１以上である。そして、濯ぎ性の点から、（Ａ−１）成分／（Ａ−２）成分の質量比は、５以下、好ましくは４以下である。
また、本発明の洗剤組成物をドイツ硬度５°ＤＨ以上、とりわけ８°ＤＨ以上、１８°ＤＨ以下の高硬度の水で使用する場合は、洗浄性能、泡立ち性の点から、（Ａ−１）成分と（Ａ−２）成分の質量比である（Ａ−１）成分／（Ａ−２）成分は、０．６以上、好ましくは０．８以上、より好ましくは１以上、より好ましくは１．２以上である。そして、洗浄性能、濯ぎ性の点から、（Ａ−１）成分／（Ａ−２）成分の質量比は、５以下、好ましくは４以下、より好ましくは３以下、より好ましくは２．７以下、より好ましくは２．５以下である。
【００２６】
〔（Ｂ）成分〕
本発明の（Ｂ）成分は、水溶性アルカリ無機塩である。ここで、（Ｂ）成分についての「水溶性」とは、２０℃で水１００ｇ中に１ｇ以上溶解することをいう。（Ｂ）成分は、２０℃で水１００ｇ中に５ｇ以上、更に１０ｇ以上溶解することが好ましい。
【００２７】
（Ｂ）成分は、水溶性アルカリ無機塩から選ばれる１種又は２種以上を組み合わせて用いることができる。（Ｂ）成分としては、水溶性無機アルカリ金属塩が挙げられる。（Ｂ）成分としては、特に限定されるものではないが、例えば炭酸塩及び非晶質ケイ酸塩から選ばれる１種以上の水溶性アルカリ無機塩が挙げられる。更に、（Ｂ）成分としては、炭酸アルカリ金属塩、炭酸水素アルカリ金属塩、過炭酸アルカリ金属塩及び非晶質ケイ酸アルカリ金属塩から選ばれる１種以上の水溶性アルカリ無機塩が挙げられる。より具体的には、炭酸ナトリウム、炭酸カリウム、炭酸水素ナトリウム、炭酸水素カリウム、過炭酸ナトリウム及び非晶質ケイ酸ナトリウムから選ばれる１種以上の水溶性アルカリ無機塩が挙げられる。
【００２８】
洗浄性能、泡立ち性、溶解性の点から、炭酸塩としては、炭酸アルカリ金属塩、炭酸水素アルカリ金属塩及び過炭酸アルカリ金属塩から選ばれる１種以上が好ましく、炭酸アルカリ金属塩及び炭酸水素アルカリ金属塩から選ばれる１種以上がより好ましく、炭酸アルカリ金属塩がより好ましく、炭酸ナトリウムが更に好ましい。
【００２９】
更に、本発明では、洗浄性、泡立ち性及び粉末物性の点から、少なくとも炭酸塩を含むことが好ましく、炭酸塩と非晶質ケイ酸塩とを含むことがより好ましい。炭酸塩と非晶質ケイ酸塩とを併用する場合の炭酸塩としては、炭酸アルカリ金属塩及び炭酸水素アルカリ金属塩から選ばれる１種以上が好ましく、炭酸アルカリ金属塩がより好ましい。具体的には、炭酸ナトリウム、炭酸カリウム、炭酸水素ナトリウム及び炭酸水素カリウムから選ばれる１種以上であり、好ましくは炭酸ナトリウムである。炭酸塩と非晶質ケイ酸塩を併用する場合、炭酸塩と非晶質ケイ酸塩の質量比である炭酸塩／非晶質ケイ酸塩が、好ましくは０．１以上、より好ましくは０．５以上、より好ましくは１以上、より好ましくは１．５以上であり、そして、好ましくは２０以下、より好ましくは１５以下、より好ましくは１０以下、より好ましくは７以下、より好ましくは５以下である。本発明では、（Ｂ）成分として炭酸塩と非晶質ケイ酸塩とを含有し、炭酸塩と非晶質ケイ酸塩の質量比である炭酸塩／非晶質ケイ酸塩が、０．１以上、２０以下であることが好ましい。
【００３０】
（Ｂ）成分中の炭酸塩の含有量は、好ましくは３０質量％以上、より好ましくは５０質量％以上、そして、好ましくは９５質量％以下、より好ましくは９０質量％以下である。
【００３１】
また、（Ｂ）成分中の、炭酸塩及び非晶質ケイ酸塩の含有量は、好ましくは８０質量％以上、より好ましくは９０質量％以上、より好ましくは９５質量％以上である。そして、１００質量％以下である。
【００３２】
本発明の洗剤組成物中の（Ｂ）成分の含有量は、洗浄性、泡立ち性の点から、５質量％以上、好ましくは１０質量％以上、より好ましくは１５質量％以上、より好ましくは２０質量％以上であり、そして、粉末物性の点から、５５質量％以下、好ましくは５０質量％以下、より好ましくは４５質量％以下、より好ましくは４０質量％以下である。
【００３３】
更に、（Ａ−２）成分と（Ｂ）成分との質量比である（Ａ−２）成分／（Ｂ）成分が、好ましくは０．１以上、より好ましくは０．２以上、より好ましくは０．３以上、より好ましくは０．４以上であり、そして、好ましくは１０以下、より好ましくは７以下、より好ましくは３以下、より好ましくは１．５以下、より好ましくは１以下、より好ましくは０．８以下、より好ましくは０．６以下である。
【００３４】
〔（Ｃ）成分〕
本発明の（Ｃ）成分は、（Ｄ）成分を除く水溶性中性無機塩である。ここで、（Ｃ）成分についての「水溶性」とは、２０℃で水１００ｇ中に１ｇ以上溶解することをいう。（Ｃ）成分は、２０℃で水１００ｇ中に５ｇ以上、更に１０ｇ以上溶解することが好ましい。
【００３５】
（Ｃ）成分は、（Ｄ）成分を除く、水溶性中性無機塩から選ばれる１種又は２種以上を組み合わせて用いることができる。（Ｃ）成分としては、特に制限されるものではないが、例えば硫酸塩及び金属塩化物から選ばれる１種以上の水溶性中性無機塩が挙げられる。好ましくは、硫酸塩である。より好ましくはアルカリ金属硫酸塩及びアルカリ金属塩化物から選ばれる１種以上の水溶性中性無機塩である。更に、（Ｃ）成分としては、硫酸ナトリウム、硫酸カリウム、塩化ナトリウム及び塩化カリウムから選ばれる１種以上の水溶性中性無機塩が挙げられる。中でも、泡立ち性の点から、好ましくは硫酸ナトリウム及び／又は塩化ナトリウム、より好ましくは硫酸ナトリウムである。
【００３６】
硫酸ナトリウムのような（Ｃ）成分を多く配合すると、漬け置き中の泡立ち性の低下を抑制できる。更に、後述の（Ｄ）成分と併用するとより効果的に抑制できるので、漬け置き後でも高い起泡性を保つことができる。
【００３７】
本発明の洗剤組成物は、泡立ち性の点から、（Ｃ）成分の含有量は２０質量％以上、好ましくは２５質量％以上、より好ましくは３０質量％以上であり、そして、７０質量％以下、好ましくは６０質量％以下、より好ましくは５５質量％以下である。
【００３８】
〔（Ｄ）成分〕
（Ｄ）成分は、水溶性マグネシウム塩である。ここで、（Ｄ）成分についての「水溶性」とは、２０℃で水１００ｇ中に１ｇ以上溶解することをいう。本発明の粉末洗剤組成物を含む洗浄液の泡立ち易さの点で、水溶性マグネシウム塩は、２０℃の水１００ｇ中に、１０ｇ以上溶解することが好ましい。
【００３９】
（Ｄ）成分は、水溶性無機マグネシウム塩が好ましい。（Ｄ）成分は、水溶性マグネシウム塩から選ばれる１種又は２種以上を組み合わせて用いることができる。
【００４０】
（Ｄ）成分は、入手が容易な点で、水溶性マグネシウム塩は、硫酸マグネシウムの無水物、硫酸マグネシウムの水和物及び塩化マグネシウムの水和物から選ばれる１種以上の化合物が好ましい。
衣料用粉末洗剤組成物の保存安定性の点で、（Ｄ）成分は、硫酸マグネシウムの無水物及び硫酸マグネシウムの水和物から選ばれる１種以上の化合物が好ましい。
硫酸マグネシウムの水和物としては、硫酸マグネシウムの７水和物が挙げられる。塩化マグネシウムの水和物としては、塩化マグネシウムの６水和物が挙げられる。
【００４１】
本発明に用いる水溶性マグネシウム塩が潮解性を有する場合は、衣料用洗浄剤組成物を保存した時に粉末物性が変わる可能性がある。潮解性を有するマグネシウム塩を用いる場合には表面を被覆して用いることが好ましい。潮解性を有する水溶性マグネシウム塩の具体例として、塩化マグネシウムの水和物が挙げられる。
【００４２】
（Ｄ）成分は前記（Ａ−１）成分と（Ａ−２）成分と併用することにより、低硬度の水や高硬度の水を洗浄液として用いる場合であっても、皮脂汚れの洗浄性、溶解時の泡立ち性、手洗いや洗濯機洗い時の泡立ち性、漬け置き後の洗い時の泡立ち性や起泡性を維持することができる。とりわけ、本発明の洗剤組成物は、５°ＤＨ未満の水を使用する場合には、溶解時や、漬け置き後の手洗い時の泡立ち性を向上できる。また、（Ｄ）成分は後述の（Ｅ）成分とも相互作用性が強いことから、５°ＤＨ未満の水を使用する場合には（Ｄ）成分、（Ｅ）成分を併用することで起泡性を高めることができる。従来の増泡剤で泡立ちを向上させようとするとすすぎ性が損なわれていたが、本発明の洗剤組成物では、すすぎ性も維持することができる。また、ドイツ硬度が５°ＤＨ以上の水を使用した場合であっても、同様に起泡性を高めることができる。特に漬け置き後の起泡性が維持されることは有効である。
【００４３】
天然水や水道水などの水に一般的に含まれているカルシウムなどの硬度成分は、洗浄液中で洗浄成分であるアニオン界面活性剤や汚れ成分と相互作用して起泡力の低下を招くことが判明した。特に、漬け置き工程の間に起泡力が低下してしまい、漬け置き後に泡が立ちにくいといった問題が生じることが判明した。つまり、カルシウム塩が洗浄液中に存在することが、起泡力の低下の一因であることが判明した。しかし、（Ｄ）成分を含む本発明の粉末洗剤組成物では、漬け置き中の起泡性の低下を抑制できる。更に、本発明では、起泡力を高めながらもすすぎ性は維持される。以上のように（Ｄ）成分を添加することで、漬け置き後の起泡性に優れ、且つすすぎ時の泡が消えるという、相反する効果を両立できたことは、当業者には意外な効果である。加えて、本発明では、ドイツ硬度が８°ＤＨ以上、好ましくは１０°ＤＨ以上の高い水を使用した場合でも、後述の（Ｅ）成分、更に（Ｆ）成分を併用することで、前記の効果が得られるため、当業者には有意義な技術である。
【００４４】
本発明の洗剤組成物は、（Ｄ）成分を硫酸マグネシウムの無水物換算で０．５質量％以上、１２質量％以下含有する。（Ｄ）成分の含有量は、組成物中、好ましくは１質量％以上、より好ましくは１．５質量％以上、より好ましくは２質量％以上、より好ましくは３質量％以上であり、そして、好ましくは１０質量％以下、より好ましくは８質量％以下、より好ましくは６質量％以下である。なお、硫酸マグネシウム以外の化合物を（Ｄ）成分として用いる場合は、その化合物の質量からモル数を計算し、そのモル数に相当する硫酸マグネシウムの無水物の質量を、当該化合物の硫酸マグネシウムの無水物換算の質量とする。
【００４５】
また、本発明の洗剤組成物は、漬け置き後の起泡性の点から、（Ａ−１）成分／（Ａ−２）成分の質量比が１．５超、２．３以下の場合は、（Ｄ）成分を硫酸マグネシウムの無水物換算で１質量％以上含有することが好ましい。また、（Ａ−１）成分／（Ａ−２）成分の質量比が０．６以上、１．５以下の場合は、（Ｄ）成分を硫酸マグネシウムの無水物換算で３質量％以上含有することが好ましい。また、（Ａ−１）成分／（Ａ−２）成分の質量比が２．３超、５以下の場合は、（Ｄ）成分を硫酸マグネシウムの無水物換算で１質量％以上含有することが好ましい。
【００４６】
〔（Ｅ）成分〕
本発明の（Ｅ）成分は、炭素数１２以上、１８以下の脂肪酸又はその塩である。（Ｅ）成分としては、直鎖又は分岐鎖のアルキル基を有する炭素数１２以上、１８以下の脂肪酸又はその塩が挙げられる。好ましくは、直鎖アルキル基を有する炭素数１２以上、１８以下の脂肪酸又はその塩である。本発明においては、炭素数１２の脂肪酸又は塩は、漬け置き後の起泡力を損なわずにすすぎ性を維持できる重要な成分である。
【００４７】
漬け置き後の起泡力を高める理由から、本発明では、（Ｅ）成分中の（Ｅ−１）炭素数１２の脂肪酸又はその塩の割合が、５０質量％以上である。以下、炭素数１２の脂肪酸及びその塩を合わせて（Ｅ−１）成分という。（Ｅ）成分中の（Ｅ−１）成分の割合は、好ましくは６０質量％以上、より好ましくは７０質量％以上、より好ましくは８０質量％以上、より好ましくは８５質量％以上、より好ましくは９０質量％以上、より好ましくは９５質量％以上であり、そして、１００質量％以下である。即ち、（Ｅ）成分の全てが（Ｅ−１）成分であっても良い。
（Ｅ−１）成分としては、直鎖又は分岐鎖のアルキル基を有する炭素数１２の脂肪酸又はその塩が好ましく、更には直鎖アルキル基を有する炭素数１２の脂肪酸又はその塩が好ましい。
【００４８】
本発明の洗剤組成物では、漬け置き後の起泡性の点から、（Ａ−２−１）成分の炭素数１２のアルキル基を有するアルキル硫酸塩と（Ｅ−１）成分を併用することが好ましい。
これらの成分を併用する場合、（Ａ−２）成分中の（Ａ−２−１）成分の割合は、好ましくは４０質量％以上、より好ましくは５０質量％以上、より好ましくは６０質量％以上である。一方、これらの成分を併用する場合、（Ｅ）成分中の（Ｅ−１）成分の割合は、好ましくは６０質量％以上、より好ましくは７０質量％以上、より好ましくは８０質量％以上、より好ましくは８５質量％以上、より好ましくは９０質量％以上、より好ましくは９５質量％以上であり、そして、１００質量％以下である。即ち、（Ｅ）成分の全てが（Ｅ−１）成分であっても良い。
【００４９】
また、（Ｅ）成分の脂肪酸の塩は、脂肪酸のナトリウム塩、カリウム塩などのアルカリ金属塩又はアルカノールアミン塩であることが、すすぎ性の点から好ましい。本発明の組成物を調製する場合、酸型の化合物である脂肪酸を組成物中に添加し、系内でアルカリと中和反応させることができる。また、予め中和した後、組成物中に添加することができる。
（Ｅ）成分は、炭素数１２以上、１８以下の脂肪酸又はその塩から選ばれる１種又は２種以上を組み合わせて用いることができる。
【００５０】
（Ｅ）成分である脂肪酸、脂肪酸塩は古くからすすぎ性を向上させることが知られているが、本発明では（Ｄ）成分と併用することにより、更には脂肪酸の炭素数分布を制御することにより、起泡性を高めることもできる。この理由については、必ずしも明らかではないが、（Ｅ）成分が（Ａ−２）成分と（Ｄ）成分と共存したことによる、これら３成分が相互作用した効果だと考えられる。本発明の洗剤組成物でむしろ起泡力が高くなる点は、当業者の想像を遥かに超えた結果である。
【００５１】
（Ｅ）成分の含有量は、組成物中、０．１質量％以上、好ましくは０．３質量％以上、より好ましくは０．５質量％以上、より好ましくは１質量％以上、より好ましくは１．５質量％以上であり、そして、７質量％以下、好ましくは５質量％以下、より好ましくは３質量％以下、より好ましくは２．５質量％以下、より好ましくは２．３質量％以下、より好ましくは２．０質量％以下である。
【００５２】
本発明において（Ｅ）成分の質量は、（Ｅ）成分が脂肪酸塩である場合には酸型、即ち脂肪酸の質量に換算した質量を用いる。
【００５３】
（Ｅ）成分は、使用する洗濯水の硬度によってその配合量を変えることが望ましい。たとえば、ドイツ硬度５°ＤＨ未満の低硬度の水で使用する場合は、（Ｅ）成分の含有量は、組成物中、好ましくは０．５質量％以上であり、より好ましくは１質量％以上、より好ましくは１．５質量％以上であり、そして７質量％以下、好ましくは５質量％以下である。また、本発明の洗剤組成物をドイツ硬度５°ＤＨ以上の高硬度の水で使用する場合は、（Ｅ）成分の含有量は、組成物中、好ましくは０．１質量％以上、より好ましくは０．３質量％以上、より好ましくは０．５質量％以上であり、そして、好ましくは５質量％以下、より好ましくは３質量％以下である。
【００５４】
また、本発明の洗剤組成物は、洗浄力、起泡力の点から、（Ａ−２）成分と（Ｅ）成分との質量比である（Ａ−２）成分／（Ｅ）成分が、好ましくは０．５以上、より好ましくは１以上、より好ましくは１．５以上、より好ましくは２以上、より好ましくは３以上であり、そして、すすぎ性の点から、好ましくは３０以下、より好ましくは２５以下、より好ましくは２０以下、より好ましくは１５以下、より好ましくは１０以下、より好ましくは６以下である。
【００５５】
上記（Ａ−２）成分／（Ｅ）成分の質量比は、使用する洗濯水の硬度によってその値を変えた方が望ましい場合がある。たとえば、本発明の洗剤組成物をドイツ硬度５°ＤＨ未満の水で使用する場合は、（Ａ−２）成分／（Ｅ）成分の質量比は、好ましくは０．５以上、より好ましくは１以上、より好ましくは１．５以上、より好ましくは２以上、より好ましくは３以上であり、そして、すすぎ性の点から、好ましくは１５以下、より好ましくは１０以下、より好ましくは１０未満、より好ましくは６以下である。また、本発明の洗剤組成物をドイツ硬度５°ＤＨ以上の水、とりわけ８°ＤＨ以上の水で使用する場合は、（Ａ−２）成分／（Ｅ）成分の質量比は、好ましくは２以上、より好ましくは３以上、より好ましくは４以上、より好ましくは５以上、より好ましくは６以上、より好ましくは１０以上であり、そして、すすぎ性の点から、好ましくは３０以下、より好ましくは２５以下、より好ましくは２０以下、より好ましくは１５以下である。５°ＤＨ以上、とりわけ８°ＤＨ以上の高硬度の水で使用する場合は、５°ＤＨ未満の低硬度の水で使用する場合と比較して、（Ａ−２）成分／（Ｅ）成分の質量比の値を大きくするのが好ましい。
【００５６】
また、本発明の洗剤組成物は、すすぎ性の点から、（Ｅ）成分と（Ｄ）成分との質量比である（Ｅ）成分／（Ｄ）成分が、好ましくは０．１以上、より好ましくは０．２以上、より好ましくは０．５以上であり、そして、起泡力から、好ましくは５以下、より好ましくは３以下、より好ましくは１．５以下である。
【００５７】
上記（Ｅ）成分／（Ｄ）成分の質量比は、使用する洗濯水の硬度によってその値を変えた方が望ましい場合がある。たとえば、本発明の洗剤組成物をドイツ硬度５°ＤＨ未満の低硬度の水で使用する場合は、（Ｅ）成分／（Ｄ）成分の質量比は、好ましくは０．２以上、より好ましくは０．５以上、より好ましくは０．８以上であり、そして、起泡力から、好ましくは５以下、より好ましくは３以下、より好ましくは１．５以下である。また、本発明の洗剤組成物をドイツ硬度５°ＤＨ以上の高硬度の水で使用する場合は、（Ｅ）成分／（Ｄ）成分の質量比は、好ましくは０．１以上、より好ましくは０．２以上であり、そして、起泡力から、好ましくは５以下、より好ましくは３以下、より好ましくは１．５以下、より好ましくは１未満、より好ましくは０．８以下、より好ましくは０．５以下である。
【００５８】
〔任意成分〕
以下に本発明の洗剤組成物が含有できる成分を示す。
＜（Ｆ）成分＞
本発明の洗剤組成物は、高硬度条件下における溶解時の起泡性及び漬け置き後の起泡性の点から、（Ｆ）成分として、アルキル基の炭素数が１０以上、２０以下であり、アルキレンオキシ基の平均付加モル数が０．５以上、４以下であるポリオキシアルキレンアルキルエーテルを含有することが好ましい。
【００５９】
溶解時の起泡性は、洗剤成分の親水性と疎水性のバランスが大きく影響することが知られている所、（Ｆ）成分はこのバランスを調整する働きを担っている。一方、高硬度条件下における漬け置き後の起泡力が高まる理由については定かではない。（Ｆ）成分を配合しない系では、漬け置き中の洗濯液が白く濁り、起泡性が低下する様子がはっきりと観察されるのに対して、（Ｆ）成分を配合した系では、濁りも薄く、起泡力の低下も少ない。濁りの原因となった成分は起泡力となんらかの関係がある成分である。（Ｆ）成分は、この成分を分散し又は凝集を抑制することで、起泡力を維持しているものと考えている。
【００６０】
（Ｆ）成分が有するアルキル基の炭素数は１０以上、２０以下であり、好ましくは１２以上、そして、好ましくは１５以下、より好ましくは１４以下である。また、（Ｆ）成分は、アルキレンオキシ基の平均付加モル数が、０．５以上、４以下であり、好ましくは１以上、より好ましくは２以上、そして、好ましくは３．５以下である。アルキレンオキシ基は、エチレンオキシ基が好ましい。この平均付加モル数は、すすぎ性と起泡力とのバランスから好ましい。
【００６１】
（Ｆ）成分を含有する場合の含有量は、組成物中、好ましくは０．０１質量％以上、より好ましくは０．１質量％以上、より好ましくは０．２質量％以上であり、そして、好ましくは５質量％以下、より好ましくは３質量％以下、より好ましくは１．５質量％以下である。
【００６２】
＜（Ｇ）成分＞
本発明の洗剤組成物は、本発明の効果を損なわない範囲内で、（Ｇ）成分として、（Ａ−１）成分、（Ａ−２）成分、（Ｅ）成分、（Ｆ）成分以外の界面活性剤を含有することができる。（Ｇ）成分としては、例えば、ポリオキシエチレンアルキルエーテル硫酸塩、パラフィンスルホン酸塩、α−スルホ脂肪酸アルキルエステル塩、α−オレフィンスルホン酸塩から選ばれる陰イオン界面活性剤、ポリオキシアルキレンソルビタン脂肪酸エステル、ポリオキシアルキレン脂肪酸エステル、ポリオキシアルキレンアルキルフェニルエーテル、ショ糖脂肪酸エステル、ソルビタン脂肪酸エステル、脂肪酸アルカノールアミド及びアルキルグリコシドから選ばれる非イオン界面活性剤、モノ又はジアルキルアミン及びそのポリオキシエチレン付加物、並びにモノ又はジ長鎖アルキル第４級アンモニウム塩から選ばれる陽イオン界面活性剤、カルボベタイン、スルホベタイン、及びヒドロキシスルホベタインから選ばれる両性界面活性剤が挙げられる。この内、ポリオキシエチレンアルキルエーテル硫酸塩は、漬け置きしても豊かな泡立ちを発現できる点で、（Ａ−２）成分と併用することができる。
ここで、ポリオキシエチレンアルキルエーテル硫酸塩としては、アルキル基の炭素数が１２以上、１８以下であり、エチレンオキシ基の平均付加モル数が０．５以上、好ましくは１以上であり、そして、５以下、好ましくは３以下のものが挙げられる。
【００６３】
（Ｇ）成分の含有量は、組成物中、好ましくは６質量％以下、より好ましくは４質量％以下、より好ましくは２質量％以下である。なお、（Ｇ）成分を含有する場合には、（Ｇ）成分の含有量は、組成物中、好ましくは０．５質量％以上、より好ましくは１質量％以上である。
【００６４】
＜（Ｈ）成分＞
本発明の洗剤組成物は、本発明の効果を損なわない範囲内で、（Ｈ）成分として、（Ｈ−１）アルミノケイ酸塩、結晶性ケイ酸塩及びリン酸塩から選ばれる１種以上の金属イオン捕捉ビルダーと（Ｈ−２）カルボン酸系高分子化合物から選ばれる金属イオン捕捉ビルダーである。本発明では、（Ｈ）成分を、好ましくは複数の（Ｈ）成分を組み合わせて、含有することができるが、その含有量を制限することが望ましい。更に、本発明では、（Ｈ）成分を全く又は少量しか含有しなくても、良好な洗浄性を維持したまま、泡立ち性や泡消え性を向上できる。このことは、当業者に対して本発明の有利な効果を認識させることができる。以下、（Ｈ−１）アルミノケイ酸塩、結晶性ケイ酸塩及びリン酸塩から選ばれる１種以上の金属イオン捕捉ビルダーを（Ｈ−１）成分といい、（Ｈ−２）カルボン酸系高分子化合物から選ばれる金属イオン捕捉ビルダーを（Ｈ−２）成分という。
【００６５】
（Ｈ−１）成分のアルミノケイ酸塩としては、結晶性又は非晶質アルミノケイ酸塩が挙げられる。例えば、チャバザイト、モンデナイト、エリオナイト、ホージャサイト、クリノプチロライトなどの天然ゼオライト、Ａ型ゼオライト、Ｘ型ゼオライト、Ｙ型ゼオライト、Ｌ型ゼオライト、オメガ型ゼオライト、Ｐ型ゼオライト、ＭＡＰ型ゼオライト等の合成ゼオライトが挙げられる。
【００６６】
（Ｈ−１）成分の結晶性ケイ酸塩としては、例えばアルカリ金属ケイ酸塩のＳｉＯ2／Ｍ2Ｏが、モル比で０．５以上、２．６以下であるものが挙げられる。ここで、Ｍはアルカリ金属原子を表す。
【００６７】
（Ｈ−１）成分のリン酸塩としては、例えばオルトリン酸塩、メタリン酸塩、トリメタリン酸塩、ピロリン酸塩、トリポリリン酸塩等が挙げられる。塩は、ナトリウム塩、カリウム塩等のアルカリ金属塩が挙げられる。
【００６８】
（Ｈ−２）成分のカルボン酸系高分子化合物としては、例えばモノエチレン性のモノ又はジカルボン酸由来の繰り返し単位、更にはアクリル酸又はマレイン酸に由来する繰り返し単位を含む重量平均分子量１，０００以上、１５０，０００以下の高分子化合物が挙げられる。かかる高分子化合物は、ナトリウム塩、カリウム塩等のアルカリ金属塩などの塩であってもよい。具体的には、ポリアクリル酸及びその塩、ポリマレイン酸及びその塩又はアクリル酸−マレイン酸共重合体及びその塩が挙げられる。好ましくはポリアクリル酸及びその塩である。
【００６９】
本発明では、（Ａ）成分乃至（Ｆ）成分の含有量及び比率を特定範囲にすることで、従来、比較的多量に配合していた（Ｈ）成分のような環境への負荷が高い多価金属イオン捕捉ビルダーの配合量を低減することができる。
中でも、本発明では、（Ａ）成分、（Ｃ）成分、任意成分として（Ｆ）成分の含有量及び比率を特定範囲にすることで、従来、比較的多量に配合していた（Ｈ）成分のような環境への負荷が高い多価金属イオン捕捉ビルダーの配合量を低減することができる。
【００７０】
前述のように、漬け置き後の起泡力の低下に洗濯液中のカルシウム塩が関与していることが明らかになると、金属イオン補足ビルダーを使えば、高硬度の水でも漬け置き後の起泡力も高くなると予想された。しかし、実際にはそれほどの効果はなく、むしろ（Ｃ）成分、（Ｆ）成分を添加した方が効果的であることがわかった。
【００７１】
したがって、本発明では、環境負荷低減の点から（Ｈ−１）成分の含有量は、組成物中、好ましくは０質量％以上、好ましくは９質量％以下であり、より好ましくは７質量％以下である。また、（Ｈ−１）成分のうち、アルミノケイ酸塩の含有量は、組成物中、好ましくは８質量％以下、より好ましくは７質量％以下、より好ましくは６質量％以下であり、より好ましくは０質量％である。また、（Ｈ−１）成分のうち、結晶性ケイ酸塩の含有量は、組成物中、好ましくは１０質量％以下、より好ましくは５質量％以下、より好ましくは３質量％以下であり、より好ましくは０質量％である。また、（Ｈ−１）成分のうち、リン酸塩の含有量は、組成物中、好ましくは３質量％以下、より好ましくは２質量％以下、より好ましくは１質量％以下であり、より好ましくは０質量％である。また、（Ｈ−２）成分の含有量は、組成物中、好ましくは０質量％以上、好ましくは４質量％以下であり、より好ましくは３質量％以下、より好ましくは２質量％以下、より好ましくは１．５質量％以下、より好ましくは１質量％以下であり、そして、０．１質量％以上である。また、（Ｈ−１）成分と（Ｈ−２）成分の合計含有量は、組成物中、好ましくは０．１質量％以上、好ましくは９質量％以下であり、より好ましくは８質量％以下、より好ましくは７質量％以下である。
【００７２】
＜その他の成分＞
本発明の洗剤組成物には、衣料用洗剤の分野で公知の他の成分、例えば漂白剤（過ホウ酸塩、漂白活性化剤等）、再汚染防止剤、柔軟化剤（ベントナイト等）、還元剤（亜硫酸塩等）、蛍光増白剤、抑泡剤（シリコーン等）、香料、酵素（セルラーゼ、プロテアーゼ、ペプチナーゼ、リパーゼ、デキストラナーゼ、アミラーゼ等）、着色剤等を含有させることができる。ここで、シリコーンの含有量は、洗浄時の泡立ち性の点から、組成物中、好ましくは０．１質量％以下、より好ましくは０．０５質量％以下、より好ましくは０質量％、即ち、含有しないことである。
【００７３】
〔衣料用粉末洗剤組成物の物性等〕
本発明の洗剤組成物では、洗浄性能の点で、ＪＩＳ  Ｋ  ３３６２：２００８記載の２０℃で測定する０．１質量％水溶液のｐＨは、好ましくは８以上、より好ましくは９以上、より好ましくは９．５以上、より好ましくは１０以上であり、そして、好ましくは１２以下、より好ましくは１１．５以下、より好ましくは１１以下である。水はイオン交換水を用いる。
【００７４】
本発明の洗剤組成物では、溶解性、生産性の点で、ＪＩＳ  Ｋ  ３３６２：２００８記載の加熱減量法による組成物中の水分量は、好ましくは０．５質量％以上、より好ましくは１質量％以上であり、そして、好ましくは１０質量％以下、より好ましくは８質量％以下、より好ましくは６質量％以下である。
【００７５】
本発明の洗剤組成物では、溶解性の点から、ＪＩＳ  Ｋ  ３３６２：２００８により規定された方法で測定する見掛け密度は、好ましくは１，６００ｇ／Ｌ以下、より好ましくは１，３００ｇ／Ｌ以下、より好ましくは１，０００ｇ／Ｌ以下である。また、利便性や廃棄物の低減の点から、見掛け密度は、好ましくは２５０ｇ／Ｌ以上、より好ましくは３００ｇ／Ｌ以上、より好ましくは３５０ｇ／Ｌ以上である。
【００７６】
本発明の洗剤組成物では、溶解性の点から、ＪＩＳ  Ｚ  ８８０１の標準篩を用いて５分間振動させた後、篩目のサイズによる質量分率から求める平均粒径は、好ましくは１５０μｍ以上、より好ましくは１８０μｍ以上であり、そして、好ましくは１，０００μｍ以下、より好ましくは８００μｍ以下、より好ましくは６００μｍ以下である。
【００７７】
本発明の洗剤組成物は、流動性及び非ケーキング性の点から、表面被覆剤により表面改質を行うことが好ましい。
【００７８】
本発明の洗剤組成物は、公知の方法で製造することができる。例えば、噴霧乾燥法、ドライ中和法、乾燥造粒法、ドライブレンド法、流動層乾燥法、薄膜乾燥法、押出し造粒法、転動造粒法、攪拌造粒法、圧密造粒法、界面活性剤担持法又はこれらから選択して組み合わせた方法を適用して、製造することができる。
【００７９】
＜手洗い洗濯方法＞
本発明は、本発明の洗剤組成物と水とを混合して調製した洗浄液を用いて被洗浄物を手洗いする、手洗い洗濯方法に関する。更に、本発明は、本発明の洗剤組成物と水とを混合して調製した洗浄液に被洗浄物を浸漬した後、又は前記洗浄液を被洗浄物に塗布した後に、被洗浄物を手洗いする、手洗い洗濯方法に関する。
【００８０】
本発明の手洗い洗濯方法としては、衣料などの被洗浄物を、本発明の洗剤組成物から調製した洗浄液に接触させて手洗いする方法が挙げられる。本発明では、洗浄液と衣料のような被洗浄物との接触時間が長いことが好ましい。洗浄液と被洗浄物との接触は、浸漬により又は塗布により行うことができ、浸漬により行うことが好ましい。本発明は、本発明の洗剤組成物と水とを混合して調製した洗浄液に被洗浄物を浸漬した後に、被洗浄物を手洗いする、手洗い洗濯方法が好ましい。浸漬の場合、浸漬時間は、好ましくは１分以上、より好ましくは３分以上、より好ましくは５分以上であり、そして、６０分以下、更に４５分以下、更に３０分以下である。本発明の特徴は、このような浸漬時間で漬け置いた後も、豊かな泡で洗うことができる点にある。また、洗浄液を、被洗浄物の汚れが付着している部分に塗布して放置、好ましくは５分以上、３０分以下放置した後、手洗いすると、更に高い効果が得られる。
【００８１】
洗浄液は、本発明の洗剤組成物及び水を含有するものである。洗浄液中の本発明の組成物の濃度は、０．３ｇ／Ｌ以上、好ましくは０．５ｇ／Ｌ以上、より好ましくは１ｇ／Ｌ以上であり、そして、１０ｇ／Ｌ以下、好ましくは７ｇ／Ｌ以下、より好ましくは５ｇ／Ｌ以下である。
【００８２】
被洗浄物の質量に対する洗浄液の質量の割合は、好ましくは２倍以上、より好ましくは３倍以上、より好ましくは５倍以上であり、そして、好ましくは１００倍以下、より好ましくは５０倍以下、より好ましくは２５倍以下である。本発明に係る洗浄液に接触、好ましくは浸漬させた衣料等の被洗浄物を十分に手でこすり洗いすると良好な洗浄力に加えて、豊かな泡立ちがあるので、視覚的に好ましい。こすり洗いなどの手洗い後は洗浄液から被洗浄物を取り出し、絞って水を除くか脱水機を用いて水を除き、次いで、新しい水〔以下すすぎ水という〕に再度浸漬させる。すすぎ水は、洗面器などにためた水でも流水でもどちらでも良い。衣料に対するすすぎ水の質量の割合は、好ましくは２倍以上、より好ましくは５倍以上、より好ましくは１０倍以上であり、そして、好ましくは１，０００倍以下、より好ましくは５００倍以下、より好ましくは１００倍以下である。この操作を数回繰り返すと泡立ちがなくなりすすぎ終了となる。
【００８３】
従来の洗剤を用いた場合、すすぎ１〜２回目の泡残りが多く、また衣料につく泡も多いことから、すすぎ回数は３回以上となる。それに対して、本発明の組成物を用いた場合は、すすぎ１〜２回目の泡が既に少ないことから、すすぎ回数が従来の洗剤を用いた場合よりも１回以上少なくて済む。すすぎ回数が２回以下で済む場合もある。このように、本発明の組成物は、従来の洗剤と比べて、すすぎ性の点で優れることが確認できた。
【００８４】
本発明の手洗い洗濯方法では、水のドイツ硬度は、洗浄性とすすぎ性の点から、１°ＤＨ以上、更に２°ＤＨ以上、更に５°ＤＨ以上、更に８°ＤＨ以上、更に１０°ＤＨ以上であっても、十分な効果を発揮することができる。一方、５０°ＤＨ以下、好ましくは３０°ＤＨ以下、好ましくは２０°ＤＨ以下においてより効果を発揮することができる。衣料用粉末洗剤組成物と混合する水のドイツ硬度が前記範囲にあることが好ましい。また、すすぎに用いる水のドイツ硬度が前記範囲にあることが好ましい。
【００８５】
本発明のより具体的な態様を以下に示す。
＜１＞
下記（Ａ）成分を５質量％以上、４０質量％以下、下記（Ｂ）成分を５質量％以上、５５質量％以下、下記（Ｃ）成分を２０質量％以上、７０質量％以下、下記（Ｄ）成分を硫酸マグネシウムの無水物換算で０．５質量％以上、１２質量％以下、及び下記（Ｅ）成分を０．１質量％以上、７質量％以下含有し、
（Ａ−１）と（Ａ−２）の質量比である（Ａ−１）／（Ａ−２）が、０．６以上、５以下であり、
（Ｅ）成分中の（Ｅ−１）炭素数１２の脂肪酸又はその塩の割合が、５０質量％以上である、
衣料用粉末洗剤組成物。
（Ａ）成分：（Ａ−１）直鎖アルキルベンゼンスルホン酸のアルカリ金属塩又はアルカノールアミン塩及び（Ａ−２）アルキル硫酸のアルカリ金属塩又はアルカノールアミン塩
（Ｂ）成分：水溶性アルカリ無機塩
（Ｃ）成分：（Ｄ）成分を除く、水溶性中性無機塩
（Ｄ）成分：水溶性マグネシウム塩
（Ｅ）成分：炭素数１２以上、１８以下の脂肪酸又はその塩
【００８６】
＜２＞
（Ｄ）成分が、硫酸マグネシウムの無水物、硫酸マグネシウムの水和物及び塩化マグネシウムの水和物から選ばれる１種以上の化合物である、＜１＞記載の衣料用粉末洗剤組成物。
【００８７】
＜３＞
下記（Ａ）成分を５質量％以上、４０質量％以下、下記（Ｂ）成分を５質量％以上、５５質量％以下、下記（Ｃ）成分を２０質量％以上、７０質量％以下、下記（Ｄ）成分を硫酸マグネシウムの無水物換算で０．５質量％以上、１２質量％以下、及び下記（Ｅ）成分を０．１質量％以上、７質量％以下含有し、
（Ａ−１）と（Ａ−２）の質量比である（Ａ−１）／（Ａ−２）が、０．６以上、５以下であり、
（Ｅ）成分中の（Ｅ−１）炭素数１２の脂肪酸又はその塩の割合が、５０質量％以上である、
衣料用粉末洗剤組成物。
（Ａ）成分：（Ａ−１）直鎖アルキルベンゼンスルホン酸のアルカリ金属塩又はアルカノールアミン塩及び（Ａ−２）アルキル硫酸のアルカリ金属塩又はアルカノールアミン塩
（Ｂ）成分：水溶性アルカリ無機塩
（Ｃ）成分：（Ｄ）成分を除く、水溶性中性無機塩
（Ｄ）成分：硫酸マグネシウムの無水物及び硫酸マグネシウムの水和物から選ばれる１種以上の化合物
（Ｅ）成分：炭素数１２以上、１８以下の脂肪酸又はその塩
【００８８】
＜４＞
（Ｅ）成分中の（Ｅ−１）炭素数１２の脂肪酸又はその塩の割合が、８０質量％以上である、前記＜１＞〜＜３＞の何れか１項記載の衣料用粉末洗剤組成物。
【００８９】
＜５＞
（Ａ−１）成分が、炭素数１０以上、更に１２以上、そして、１５以下、更に１４以下の直鎖アルキル基を有する直鎖アルキルベンゼンスルホン酸塩である、前記＜１＞〜＜４＞の何れか１項記載の衣料用粉末洗剤組成物。
【００９０】
＜６＞
（Ａ−２）成分が、アルキル基の炭素数が１２以上、１８以下のアルキル硫酸塩である、前記＜１＞〜＜５＞の何れか１項記載の衣料用粉末洗剤組成物。
【００９１】
＜７＞
（Ａ）成分の含有量が、組成物中、８質量％以上、好ましくは１０質量％以上、より好ましくは１２質量％以上であり、そして、３５質量％以下、好ましくは３０質量％以下、より好ましくは２５質量％以下、より好ましくは２０質量％以下である、前記＜１＞〜＜６＞の何れか１項記載の衣料用粉末洗剤組成物。
【００９２】
＜８＞
（Ａ−１）成分と（Ａ−２）成分の質量比である（Ａ−１）成分／（Ａ−２）成分が、０．８以上、好ましくは１以上であり、そして、４以下、好ましくは３以下、より好ましくは２以下、より好ましくは１．５以下である、前記＜１＞〜＜７＞の何れか１項記載の衣料用粉末洗剤組成物。
【００９３】
＜９＞
（Ｂ）成分が、炭酸塩及び非晶質ケイ酸塩から選ばれる１種以上の水溶性アルカリ無機塩である、前記＜１＞〜＜８＞の何れか１項記載の衣料用粉末洗剤成物。
【００９４】
＜１０＞
（Ｂ）成分として炭酸塩と非晶質ケイ酸塩とを含有し、炭酸塩と非晶質ケイ酸塩の質量比である炭酸塩／非晶質ケイ酸塩が０．１以上、好ましくは０．５以上、より好ましくは１以上、より好ましくは１．５以上であり、そして、２０以下、好ましくは１５以下、より好ましくは１０以下、より好ましくは７以下、より好ましくは５以下である、前記＜９＞記載の衣料用粉末洗剤成物。
【００９５】
＜１１＞
（Ｂ）成分の含有量が、１０質量％以上、好ましくは１５質量％以上、より好ましくは２０質量％以上であり、そして、５０質量％以下、好ましくは４５質量％以下、より好ましくは４０質量％以下である、前記＜１＞〜＜１０＞の何れか１項記載の衣料用粉末洗剤成物。
【００９６】
＜１２＞
（Ａ−２）成分と（Ｂ）成分との質量比である（Ａ−２）成分／（Ｂ）成分が、０．１以上、好ましくは０．２以上、より好ましくは０．３以上、より好ましくは０．４以上であり、そして、１０以下、好ましくは７以下、より好ましくは３以下、より好ましくは１．５以下、より好ましくは１以下、より好ましくは０．８以下、より好ましくは０．６以下である、前記＜１＞〜＜１１＞の何れか１項記載の衣料用粉末洗剤成物。
【００９７】
＜１３＞
（Ｃ）成分が、硫酸塩及び金属塩化物から選ばれる１種以上の水溶性中性無機塩である、前記＜１＞〜＜１２＞の何れか１項記載の衣料用粉末洗剤成物。
【００９８】
＜１４＞
（Ｃ）成分の含有量が、２５質量％以上、好ましくは３０質量％以上であり、そして、６０質量％以下、好ましくは５５質量％以下である、前記＜１＞〜＜１３＞の何れか１項記載の衣料用粉末洗剤成物。
【００９９】
＜１５＞
（Ｄ）成分の含有量が、無水物換算で、組成物中、１質量％以上、好ましくは１．５質量％以上、より好ましくは２質量％以上、より好ましくは３質量％以上であり、そして、１０質量％以下、好ましくは８質量％以下、より好ましくは６質量％以下である、前記＜１＞〜＜１４＞の何れか１項記載の衣料用粉末洗剤成物。
【０１００】
＜１６＞
（Ｅ）成分の含有量が、組成物中、０．３質量％以上、好ましくは０．５質量％以上、より好ましくは１質量％以上、より好ましくは１．５質量％以上であり、そして、５質量％以下、好ましくは３質量％である、前記＜１＞〜＜１５＞の何れか１項記載の衣料用粉末洗剤成物。
【０１０１】
＜１７＞
（Ａ−２）成分と（Ｅ）成分との質量比である（Ａ−２）成分／（Ｅ）成分が、０．５以上、好ましくは１以上、より好ましくは１．５以上、より好ましくは２以上、より好ましくは３以上であり、そして、３０以下、好ましくは２５以下、好ましくは２０以下、より好ましくは１５以下、より好ましくは１０以下、より好ましくは６以下である、前記＜１＞〜＜１６＞の何れか１項記載の衣料用粉末洗剤成物。
【０１０２】
＜１８＞
（Ｅ）成分と（Ｄ）成分との質量比である（Ｅ）成分／（Ｄ）成分が、０．１以上、好ましくは０．２以上、好ましくは０．５以上であり、そして、５以下、好ましくは３以下、好ましくは１．５以下である、前記＜１＞〜＜１７＞の何れか１項記載の衣料用粉末洗剤成物。
【０１０３】
＜１９＞
更に、（Ｆ）アルキル基の炭素数が１２以上、そして、１５以下、好ましくは１４以下であり、アルキレンオキシ基の平均付加モル数が１以上、好ましくは２以上、そして、好ましくは３．５以下である、ポリオキシアルキレンアルキルエーテルである、前記＜１＞〜＜１８＞の何れか１項記載の衣料用粉末洗剤成物。
【０１０４】
＜２０＞
（Ｆ）成分の含有量が、組成物中、０．０１質量％以上、好ましくは０．１質量％以上、より好ましくは０．２質量％以上であり、そして、５質量％以下、好ましくは３質量％以下、好ましくは１．５質量％以下である、前記＜１９＞記載の衣料用粉末洗剤成物。
【０１０５】
＜２１＞
更に、（Ｈ）（Ｈ−１）アルミノケイ酸塩、結晶性ケイ酸塩及びリン酸塩から選ばれる１種以上の金属イオン捕捉ビルダー０質量％以上、９質量％以下、並びに（Ｈ−２）カルボン酸系高分子化合物から選ばれる金属イオン捕捉ビルダー０質量％以上、４質量％以下〔ただし、（Ｈ−１）と（Ｈ−２）の合計含有量は０質量％以上、９質量％以下である。〕を含有する、前記＜１＞〜＜２０＞の何れか１項記載の衣料用粉末洗剤成物。
【０１０６】
＜２２＞
（Ｈ−２）成分が、アクリル酸又はマレイン酸に由来する繰り返し単位を含む重量平均分子量１，０００以上、１５０，０００以下の高分子化合物である、前記＜２１＞記載の衣料用粉末洗剤成物。
【０１０７】
＜２３＞
アルミノケイ酸塩の含有量は、組成物中、８質量％以下、好ましくは７質量％以下、より好ましくは６質量％以下であり、より好ましくは０質量％である、前記＜２１＞又は＜２２＞記載の衣料用粉末洗剤成物。
【０１０８】
＜２４＞
（Ｈ−２）成分の含有量が、組成物中、３質量％以下、好ましくは２質量％以下、より好ましくは１．５質量％以下、より好ましくは１質量％以下である、前記＜２１＞〜＜２３＞の何れか１項記載の衣料用粉末洗剤成物。
【０１０９】
＜２５＞
ＪＩＳ  Ｋ  ３３６２：２００８記載の２０℃で測定する０．１質量％水溶液のｐＨが、８以上、好ましくは９以上、より好ましくは９．５以上、より好ましくは１０以上であり、そして、１２以下、好ましくは１１．５以下、より好ましくは１１以下である、前記＜１＞〜＜２４＞の何れか１項記載の衣料用粉末洗剤成物。
【０１１０】
＜２６＞
前記＜１＞〜＜２５＞の何れか１項記載の衣料用粉末洗剤組成物と水とを混合して調製した洗浄液を用いて被洗浄物を手洗いする、手洗い洗濯方法。
【０１１１】
＜２７＞
前記＜１＞〜＜２５＞の何れか１項記載の衣料用粉末洗剤組成物と水とを混合して調製した洗浄液に被洗浄物を浸漬した後、又は前記洗浄液を被洗浄物に塗布した後に、被洗浄物を手洗いする、手洗い洗濯方法。
【０１１２】
＜２８＞
洗浄液に被洗浄物を浸漬する時間が、１分以上、更に３分以上、更に５分以上であり、そして、６０分以下、更に４５分以下、更に３０分以下である、前記＜２７＞記載の手洗い洗濯方法。
【０１１３】
＜２９＞
衣料用粉末洗剤組成物と混合する水のドイツ硬度が５°ｄＨ以上である、前記＜２６＞〜＜２８＞の何れか１項記載の手洗い洗濯方法。
【実施例】
【０１１４】
下記成分を表１又は表２に示す配合で用いて、下記の方法で洗剤組成物を調製し、以下の評価を行った。結果を表１又は表２に示す。なお、表１又は表２の数値は、原料に由来する水を含まない、有効成分として算出したものである。
【０１１５】
＜配合成分＞
・ＬＡＳ：ドデシルベンゼンスルホン酸ナトリウム（６５％品、花王株式会社製、ネオペレックスＧ−６５）
・ＡＳ（１）：アルキル基の炭素数が１２〜１６の混合アルキル基であり、アルキル基が直鎖のアルキル基であるアルキル硫酸ナトリウム〔花王株式会社製、Ｃ１２／Ｃ１４／Ｃ１６＝６７／２８／５（質量比、Ｃの次の数字はアルキル基の炭素数を意味する。）〕
・ＡＳ（２）：アルキル基の炭素数が１２であり、アルキル基が直鎖のアルキル基であるアルキル硫酸ナトリウム（花王株式会社製）
・Ｎａ２ＣＯ３：炭酸ナトリウム、デンス灰（セントラル硝子株式会社製）
・シリケート：４３質量％ケイ酸ナトリウム水溶液（ＴＯＫＵＹＡＭＡ  ＳＩＡＭ  ＳＩＬＩＣＡ  ＣＯ．，ＬＴＤ製）
・硫酸ナトリウム：無水中性芒硝（四国化成工業株式会社製）
・ＭｇＳＯ４・７水和物：硫酸マグネシウム７水和物（和光純薬工業株式会社製）なお、表中の括弧内の数値は無水物換算を表している。
・ＭｇＳＯ４・無水物：硫酸マグネシウム無水物（和光純薬工業株式会社製）
・ＭｇＣｌ２・６水和物：塩化マグネシウム６水和物（和光純薬工業(株)製）なお、表中の括弧内の数値は硫酸マグネシウムの無水物換算を表している。
【０１１６】
・ＦＡ（１）：炭素数が１２の脂肪酸（以下、Ｃ１２ＦＡという）と炭素数が１４の脂肪酸（以下、Ｃ１４ＦＡという）の混合脂肪酸であって、Ｃ１２ＦＡとＣ１４ＦＡの質量比Ｃ１２ＦＡ／Ｃ１４ＦＡが９８／２であるもの。
・ＦＡ（２）：Ｃ１２ＦＡとＣ１４ＦＡの混合脂肪酸であって、Ｃ１２ＦＡとＣ１４ＦＡの質量比Ｃ１２ＦＡ／Ｃ１４ＦＡが９０／１０であるもの。
・ＦＡ（３）：Ｃ１２ＦＡとＣ１４ＦＡの混合脂肪酸であって、Ｃ１２ＦＡとＣ１４ＦＡの質量比Ｃ１２ＦＡ／Ｃ１４ＦＡが７０／３０であるもの。
・ＦＡ（４）：Ｃ１２ＦＡとＣ１４ＦＡの混合脂肪酸であって、Ｃ１２ＦＡとＣ１４ＦＡの質量比Ｃ１２ＦＡ／Ｃ１４ＦＡが５０／５０であるもの。
【０１１７】
・ＦＡ（５）：Ｃ１２ＦＡとＣ１４ＦＡの混合脂肪酸であって、Ｃ１２ＦＡとＣ１４ＦＡの質量比Ｃ１２ＦＡ／Ｃ１４ＦＡが２０／８０であるもの。
・ＦＡ（６）：炭素数が１２〜１８である脂肪酸の混合脂肪酸であって、Ｃ１２／Ｃ１４／Ｃ１６／Ｃ１８の質量比が３５／１５／２５／２５であるもの、Ｃの次の数字は脂肪酸の炭素数を意味する。）
【０１１８】
・ノニオン（１）：ポリオキシエチレンアルキルエーテル（アルキル基の炭素数１２／１４の比率が７０／３０（質量比）、エチレンオキシドの平均付加モル数が３）
・ノニオン（２）：ポリオキシエチレンアルキルエーテル（アルキル基の炭素数１２／１４の比率が７０／３０（質量比）、エチレンオキシドの平均付加モル数が１）
【０１１９】
・ゼオライト：４Ａ型ゼオライト、平均粒子径３μｍ（東ソー株式会社製）
・ポリマー：ポリアクリル酸ナトリウム塩（４０質量％水溶液、重量平均分子量８０００、表中には有効分の質量％を示した。）
【０１２０】
＜粉末洗剤組成物の製造方法＞
上記配合成分を用いて、以下の方法で、粉末洗剤組成物を調製した。
ドデシルベンゼンスルホン酸ナトリウム水溶液、アルキル硫酸ナトリウム、炭酸ナトリウム、２号ケイ酸ナトリウム水溶液、硫酸ナトリウム、ポリアクリル酸ナトリウム塩水溶液を、合計で１．１ｋｇ及び水を混合し、水分５０質量％の均一なスラリーを調製した。次いで、本スラリーを噴霧乾燥し、ベース顆粒を得た（水分含有量２．５質量％）。更に、ベース顆粒に対して、コンクリートミキサー〔光洋機械産業株式会社製〕を用いて、脂肪酸、ノニオン（１）又はノニオン（２）、硫酸マグネシウム７水和物又は硫酸マグネシウム無水物又は塩化マグネシウム６水和物、ゼオライトを混合し、粉末洗剤組成物を得た。
【０１２１】
＜評価＞
〔モデル皮脂汚れの調製〕
以下の組成を有するモデル皮脂汚れ（人工汚垢のＡに相当）を作製し、モデル皮脂汚れを含む人工汚垢を人工汚染布及び評価用衣料の作製に用いた。
・モデル皮脂汚れ組成：
ラウリン酸０．４４質量部、ミリスチン酸３．１５質量部、ペンタデカン酸２．３５質量部、パルチミチン酸６．３１質量部、ヘプタデカン酸０．４４質量部、ステアリン酸１．６質量部、オレイン酸７．９１質量部、トリオレイン１３．３３質量部、パルミチン酸ｎ−ヘキサデシル２．２２質量部、スクアレン６．６６質量部
【０１２２】
〔人工汚染布の作製〕
・人工汚垢
下記Ａ、Ｂ、Ｃ、Ｄ、Ｅを含有する組成物を人工汚垢とした。それぞれの質量％は、最終組成の人工汚垢中の割合であり、合計が１００質量％となるようにＢの量を調節した。
Ａ：モデル皮脂汚れ（人工汚垢中の質量％が、ラウリン酸０．４４質量％、ミリスチン酸３．１５質量％、ペンタデカン酸２．３５質量％、パルチミチン酸６．３１質量％、ヘプタデカン酸０．４４質量％、ステアリン酸１．６質量％、オレイン酸７．９１質量％、トリオレイン１３．３３質量％、パルミチン酸ｎ−ヘキサデシル２．２２質量％、スクアレン６．６６質量％となる量で用いる）
Ｂ：塩化カルシウムの２水塩１０５ｍｇを秤量し、蒸留水に溶かして１，０００ｍｌとして得た硬水
Ｃ：卵白レシチン液晶物１．９８質量％（蒸留水８０ｍｌにアルギニン塩酸塩１１．３７ｇ、ヒスチジン４．２０ｇ、セリン２．４４ｇを溶解し、濃塩酸でｐＨを５．０に調整した後、この溶液と卵白レシチンをミキサーで十分混ぜ合わせて得た卵白レシチン液晶物）Ｄ：鹿沼赤土８．１１質量％
Ｅ：カーボンブラック０．０２５質量％
使用した人工汚染布は、６ｃｍ×６ｃｍの木綿／ポリエステルブロード混紡染着布（木綿／ポリエステル比＝３５／６５、谷頭商店より購入）に、上記組成から成る人工汚垢を１枚当り１００ｍｇになるようグラビア塗工したものである。
【０１２３】
〔起泡性及びすすぎ性の評価〕
・評価用衣料
男性用Ｌサイズの丸首肌着（グンゼ株式会社製、商品名グンゼＹＧ、綿１００％、約１００ｇ／１着）５着の夫々の胸部に、上記人工汚染布２枚を縫い付けた。更に、上記肌着の襟部に、４０〜５０℃に加熱した上記人工汚垢０．２ｍｌを塗布した。これを評価用衣料とした。
【０１２４】
・評価操作（洗い）
直径３６ｃｍ、深さ１３ｃｍ、容量１１Ｌのポリプロピレン製洗面器に対して、温度が３０℃、ドイツ硬度が１°ＤＨ又は１０°ＤＨ（Ｃａ／Ｍｇ＝７／３、質量比）の水５Ｌと衣料用粉末洗剤組成物１７．５ｇを入れた。次いで、水が洗面器より飛散しないように手で３０秒間攪拌して、洗浄液を調製した。
上記洗面器中の洗浄液に上記評価用衣料５着を浸し浸漬させた後に、洗浄液中で１着毎に人工汚垢を塗布した部分を２０回擦った。その後、評価用衣料５着を３０分間洗浄液中に浸漬させた。
その浸漬後、評価用衣料を洗浄液が洗面器から飛散しない程度に洗浄液面より持ち上げて、そして、洗浄液中に戻して揉む洗浄操作を３０秒間行って、泡を立てた。その作業直後の泡の高さを測定した。これを漬け置き後の起泡性とした。
数値が高い方が好ましい。２．５ｃｍ以上の泡の高さは、５着の評価衣料が起泡した泡で見えにくくなる高さであり、手洗い洗濯を行う者が「充分な泡がある」と感じる泡高さである。そのため、泡の高さが２．５ｃｍ以上であれば、手洗い洗濯を行う者が満足できる起泡性が得られていると判断できる。
その測定後、評価用衣料１着毎に、評価用衣料に対する含水量が約４０〜６０％になるように手で絞った後に、洗面器から取り出した。
【０１２５】
・評価操作（すすぎ）
直径３０ｃｍ、深さ１２ｃｍの洗面器に対して、温度が３０℃でドイツ硬度が１°ＤＨ又は１０°ＤＨ（いずれもＣａ／Ｍｇ＝７／３、質量比）であるすすぎ水５Ｌと、前記「評価操作（洗い）」で洗面器から取り出した評価用衣料５着を入れた。すすぎ水中で評価用衣料をほぐした。次いで、すすぎ水が評価用衣料の内側にも通るように、評価用衣料の首の部分を両手で開きながら、すすぎ水の水面より持ち上げて、そして、すすぎ水中に戻す操作を１０回繰り返した。次いで、評価用衣料に対する含水量が約４０〜６０％になるように手で絞った後に、洗面器から取り出した。更に、この一連の操作をもう一度繰り返した。この一連の操作は評価用衣料１着毎に行った。
全ての評価用衣料を取り出した直後の水面の状態を観察し、下記の基準でポイントを付け、すすぎ性を評価した。
泡の残り具合が液面の２／３未満であれば、手洗い洗濯を行う者が充分に濯げたと判断できる。そのため、下記のポイントが３以下であれば、手洗い洗濯を行う者が満足できるすすぎ性が得られていると判断できる。
【０１２６】
ポイント
５：液面のほぼ全面に泡が残っている
４：液面の全面の２／３以上に泡が残っている
３：液面の２／３未満〜１／３以上に泡が残っている
２：液面の１／３未満の泡が残っている
１：液面にほとんど泡が残っていない
【０１２７】
【表１】
2015214669.tif 000002
【０１２８】
表１中、（Ｅ）中の（Ｅ−１）の割合は、（Ｅ’）を用いたものは、（Ｅ’）中の（Ｅ−１）の割合を示した。
【０１２９】
【表２】
2015214669.tif 000003
【０１３０】
実施例１〜１２と比較例１〜７では、洗浄液の調製とすすぎ水にはドイツ硬度が１°ＤＨの水を用いた。一方、実施例１３〜１９と比較例８〜１０では、洗浄液の調製とすすぎ水にはドイツ硬度が１０°ＤＨの水を用いた。
実施例１〜１９は、衣料を一定時間漬け置きした後であっても起泡力を維持でき、かつ、すすぎ時には泡が素早く消えてすすぎを速やかに完了できる衣料用粉末洗剤であった。一方、比較例１〜１０は、漬け置き後の起泡性とすすぎ性の何れか一方、または両方が劣る衣料用粉末洗剤であった。
【０１３１】
〔衣料用粉末洗剤組成物の保存安定性の評価〕
実施例１３の衣料用粉末洗剤組成物について、以下の方法で保存安定性を評価した。
・篩通過率
濾紙（アドバンテック東洋株式会社製、Ｎｏ．２）で長さ１０．２ｃｍ×幅６．２ｃｍ×高さ４ｃｍの天部のない箱を作り、四隅をステープラーでとめた。これに、実施例１３の衣料用粉末洗剤組成物５０ｇを入れて、温度３０℃、湿度７０％ＲＨ雰囲気下で７日間放置した。
保存直後の衣料用粉末洗剤組成物を篩（ＪＩＳ  Ｚ  ８８０１規定の目開き４７６０μｍ）上に静かに通過させ、篩い分けした。篩の上に残った衣料用粉末洗剤組成物の質量を測定した。この値をＸｇとする。篩を通過した衣料用粉末洗剤組成物の質量を測定した。この値をＹｇとする。以下の式で篩通過率（％）を求めた。
篩通過率（％）＝Ｙ（ｇ）／〔Ｘ（ｇ）＋Ｙ（ｇ）〕
篩通過率（％）の値は３０％以上が好ましい。篩通過率（％）の値は１００％に近い程より好ましい。
実施例１３の衣料用粉末洗剤組成物の篩通過率は１００％であり、良好な保存安定性を有していた。